(57)【要約】【目的】汎用構成のポンプ手段を特別の改造等を施すことなくエアレス容器用のポンプ手段として転用して低コストに用いることができる吸引式液体注出ポンプ装置及びこれに用いられるシール部材を提供する。【構成】液体容器内の液体の吸引・注出時の内部負圧化により少なくとも液体収容部が収縮（縮小）していく構成の吸引式液体注出ポンプ装置のポンプ手段と装着部との間に、  装着部の先端全周の上面に対面する円環状のフランジ部と、該フランジ部の円環の内縁から垂設される筒状部と、を有して成り、  前記筒状部の内周面が、前記シリンダー部の外周面に液密・気密状態に密着可能であると共に、前記シリンダー部に設けられた吸気孔を閉塞可能であり、  且つ、前記筒状部の外周面が、前記装着部の内周面に液密・気密状態に密着可能な構成のシール部材  を介在させる構成。【選択図】        図１
2014105003.tif 000002
【特許請求の範囲】
【請求項１】
液体容器と、該液体容器に装着して内部に充填された液体を吸引・注出するポンプ手段と、を有し、
前記液体容器が、該液体容器内の液体の吸引・注出時の内部負圧化により少なくとも液体収容部が収縮（縮小）していく構成の吸引式液体注出ポンプ装置において、
前記ポンプ手段は、シリンダー部、該シリンダー部に装填されるピストン部、該ピストン部を作動させるノズルヘッド部とを有し、且つ前記シリンダー部に液体容器の内部負圧化時の外気導入用の通気孔が設けられた構成であり、
前記液体容器は、前記ポンプ手段を装着するための装着部を有する構成であり、
更に、ポンプ手段を液体容器に装着する際に、ポンプ手段と装着部との間に下記構成のシール部材を介在させる構成であること、
を特徴とする吸引式液体注出ポンプ装置。
［シール部材の構成］
装着部の先端全周の上面に対面する円環状のフランジ部と、該フランジ部の円環の内縁から垂設される筒状部と、を有して成り、
前記筒状部の内周面が、前記シリンダー部の外周面に液密・気密状態に密着可能であると共に、前記シリンダー部に設けられた通気孔を閉塞可能であり、
且つ、前記筒状部の外周面が、前記装着部の内周面に液密・気密状態に密着可能な構成である。
【請求項２】
前記シール部材が、軟質合成樹脂製、天然ゴム製、合成ゴム製、又はこれらの混合物製のいずれかであることを特徴とする請求項１に記載の吸引式液体注出ポンプ装置。
【請求項３】
前記液体容器が、軟質合成樹脂製のボトル容器であり、該液体容器内の液体の吸引・注出による内部負圧化に伴って収縮する構成であり、ボトル容器の口部が前記ポンプ手段を液密性及び気密性を保持した状態で装着可能な構成であることを特徴とする請求項１又は２に記載の吸引式液体注出ポンプ装置。
【請求項４】
前記液体容器が、可撓性を有する袋体であり、該袋体の開口部にポンプ手段を液密性及び気密性を保持した状態で装着可能な装着部が取り付けられた構成であることを特徴とする請求項１又は２に記載の吸引式液体注出ポンプ装置。
【請求項５】
前記液体容器が、合成樹脂製、ガラス製又は金属製の筒状の胴部と、該胴部の上部に取り付けられた前記ポンプ手段の装着部と、前記胴部の内周面の全周に液密性及び気密性を保持した状態で且つ摺動移動可能に嵌着される底部と、を有して成るボトル容器であり、
前記底部が、該液体容器内の液体の吸引・注出による内部負圧化に伴って液密性及び気密性を保持した状態で前記胴部内において上昇移動することにより該液体容器の液体収容部の容量を縮小する構成であることを特徴とする請求項１又は２に記載の吸引式液体注出ポンプ装置。
【請求項６】
液体容器の装着部にポンプ手段を螺合装着する構成であることを特徴とする請求項１〜５のいずれかに記載の吸引式液体注出ポンプ装置。
【請求項７】
液体容器の内部負圧化時に外気を導入するための通気孔が設けられたシリンダー部、該シリンダー部に装填されるピストン部、該ピストン部を作動させるノズルヘッド部とを有するポンプ手段によって、液体容器内の液体を吸引・注出するに従って、前記液体容器内の負圧化に伴って少なくとも液体収容部が収縮（縮小）していく、液体の吸引注出を行う構成の吸引式液体注出ポンプ装置の、ポンプ手段が装着される液体容器の装着部とポンプ手段との間に介在して用いられるシール部材であって、
該シール部材が、
装着部の先端全周の上面に対面する円環状のフランジ部と、該フランジ部の円環の内縁から垂設される筒状部と、を有して成り、
前記筒状部の内周面が、前記シリンダー部の外周面に液密・気密状態に密着可能であると共に、前記シリンダー部の通気孔を閉塞可能であり、
且つ、前記筒状部の外周面が、前記装着部の内周面に液密・気密状態に密着可能な構成であること、
を特徴とする吸引式液体注出ポンプ装置に用いられるシール部材。
【請求項８】
前記シール部材が、軟質合成樹脂製、天然ゴム製、合成ゴム製、又はこれらの混合物製のいずれかであることを特徴とする請求項７に記載の吸引式液体注出ポンプ装置に用いられるシール部材。
【請求項９】
液体容器と、該液体容器に装着して内部に充填された液体を吸引・注出するポンプ手段と、を有し、
前記液体容器が、該液体容器内の液体の吸引・注出時の内部負圧化により少なくとも液体収容部が収縮（縮小）していく構成の吸引式液体注出ポンプ装置において、
前記ポンプ手段は、シリンダー部、該シリンダー部に装填されるピストン部、該ピストン部を作動させるノズルヘッド部とを有し、且つ前記シリンダー部に液体容器の内部負圧化時の外気導入用の通気孔が設けられた構成であり、
前記液体容器は、前記ポンプ手段を装着するための装着部を有する構成であり、
更に、ポンプ手段を液体容器に装着する際に、ポンプ手段と装着部との間に下記構成のシール部材を介在させる構成であること、
を特徴とする吸引式液体注出ポンプ装置。
［シール部材の構成］
前記液体容器の装着部に液密・気密状態に外周面が密着可能に装着されることにより少なくとも一部が前記液体容器の内部に入り込む外側筒状体部と、
前記シリンダー部の下端の液体注出口の外周面に内周面が液密・気密状態に密着可能に嵌挿装着される内側筒状体部と、を有して成り、
前記内側筒状体部が、前記外側筒状体部の内部において該外側筒状体部に液密・気密状態に接続されることにより、内側筒状体部及び外側筒状体部とを介して前記シリンダー部の液体注出口と液体容器の内部とを連通させる構成であると共に、
前記シリンダー部の通気孔が設けられた位置より上流側で前記液体容器内の内部負圧化時の外気導入を遮断する構成である。
【請求項１０】
前記外側筒状体部と内側筒状体部とが一体構成であることを特徴とする請求項９に記載の吸引式液体注出ポンプ装置。
【請求項１１】
前記外側筒状体部と内側筒状体部とが別体構成であることを特徴とする請求項９に記載の吸引式液体注出ポンプ装置。
【請求項１２】
前記液体容器が軟質合成樹脂製の袋体であり、前記外側筒状体部の上流側先端が前記袋体に液密・気密状態に突き刺し可能な構成であることを特徴とする請求項９〜１１のいずれかに記載の吸引式液体注出ポンプ装置。
【請求項１３】
前記液体容器が、軟質合成樹脂製のボトル容器であり、該液体容器内の液体の吸引・注出による内部負圧化に伴って収縮する構成であり、ボトル容器の口部が前記ポンプ手段を液密性及び気密性を保持した状態で装着可能な構成であることを特徴とする請求項９〜１１のいずれかに記載の吸引式液体注出ポンプ装置。
【請求項１４】
前記液体容器が、可撓性を有する袋体であり、該袋体の開口部にポンプ手段を液密性及び気密性を保持した状態で装着可能な装着部が取り付けられた構成であることを特徴とする請求項９〜１１のいずれかに記載の吸引式液体注出ポンプ装置。
【請求項１５】
前記液体容器が、合成樹脂製、ガラス製又は金属製の筒状の胴部と、該胴部の上部に取り付けられた前記ポンプ手段の装着部と、前記胴部の内周面の全周に液密性及び気密性を保持した状態で且つ摺動移動可能に嵌着される底部と、を有して成るボトル容器であり、
前記底部が、該液体容器内の液体の吸引・注出による内部負圧化に伴って液密性及び気密性を保持した状態で前記胴部内において上昇移動することにより該液体容器の液体収容部の容量を縮小する構成であることを特徴とする請求項９〜１１のいずれかに記載の吸引式液体注出ポンプ装置。
【請求項１６】
液体容器の内部負圧化時に外気を導入するための通気孔が設けられたシリンダー部、該シリンダー部に装填されるピストン部、該ピストン部を作動させるノズルヘッド部とを有するポンプ手段によって、液体容器内の液体を吸引・注出するに従って、前記液体容器内の負圧化に伴って少なくとも液体収容部が収縮（縮小）していく、液体の吸引注出を行う構成の吸引式液体注出ポンプ装置の、ポンプ手段が装着される液体容器の装着部とポンプ手段との間に介在して用いられるシール部材であって、
該シール部材が、
前記液体容器の装着部に液密・気密状態に外周面が密着可能に装着されることにより少なくとも一部が前記液体容器の内部に入り込む外側筒状体部と、
前記シリンダー部の下端の液体注出口の外周面に内周面が液密・気密状態に密着可能に嵌挿装着される内側筒状体部と、を有して成り、
前記内側筒状体部が、前記外側筒状体部の内部において該外側筒状体部に液密・気密状態に接続されることにより、内側筒状体部及び外側筒状体部とを介して前記シリンダー部の液体注出口と液体容器の内部とを連通させる構成であると共に、
前記シリンダー部の通気孔が設けられた位置より上流側で前記液体容器内の内部負圧化時の外気導入を遮断する構成であること、
を特徴とする吸引式液体注出ポンプ装置に用いられるシール部材。
【発明の詳細な説明】
【技術分野】
【０００１】
本発明は吸引式液体注出ポンプ装置及びこれに用いられるシール部材に関し、詳しくは液体容器の内部負圧化時に外気を導入するための通気孔が設けられたタイプのポンプ装置をエアレス容器用のポンプとして用いることができるシール部材、及びこのシール部材を用いた吸引式液体注出ポンプ装置に関する。
【背景技術】
【０００２】
エアレス容器とも称される構成の吸引式液体注出ポンプ装置を備えた液体容器が種々提案され、利用されている。
【０００３】
このエアレス容器は、可撓性を有する液体充填袋や軟質合成樹脂製の液体充填ボトル、或いは底部板が容量に応じて移動する円筒状の液体充填ボトル等の液体容器に充填した液体をポンプ手段により液密及び気密状態で吸引・注出し、この吸引・注出による液体容器内部の負圧化に伴って該液体容器が潰れたり（収縮）或いは底板が上昇移動する（縮小）等して減少する液体量に応じて容器容量が減じていく構成のものである。かかる構成によって、液体容器の内部への外気流入を防止し、残存する液体の酸化や変質、或いは雑菌等の混入を抑制することができるため、主として無添加化粧料等の容器として利用されている。
【０００４】
尚、エアレス容器とは異なる一般的な汎用のポンプ手段を備えた液体容器では、液体の吸引・注出によって液体容器の内部が負圧となる際にポンプ手段のシリンダー部に設けられた通気孔から外気を導入することにより前記した負圧化が生じない構成となっている。かかる構成によって、液体容器を収縮（縮小）させることなく形状及び容量を維持した状態のままであっても液体を円滑に吸引・抽出することができる構成となっている。
【０００５】
エアレス容器の場合、上記した一般的なポンプ手段とは異なり、用いるポンプ手段のシリンダー部には通気孔が設けられていないことが必須であるため、シリンダー部の成形時に専用の金型を新たに作成したり、或いは汎用のシリンダー部用の金型を流用して改造することが行われている。
【０００６】
しかし、エアレス容器用のポンプ手段は汎用構成のポンプ手段に比して需要数の点では絶対数が圧倒的に未だ少なく、従って、新たな金型の製作による通気孔無しのシリンダー部の製造は高コストとなっている。また、汎用のシリンダー部用の金型の流用においても、金型改造後は基に戻すことができないため、結果的に高コストとなってしまうという問題点を有している。
【０００７】
一方、従来のエアレス容器において、液体容器内の液体を最後まで吸引・注出するには各構成部材だけでなく構成部材同士の接続部の液密性・気密性の保持が重要である。
【０００８】
この液密性・気密性の保持は、各構成部材については、主として製造時の部品精度や組立精度等の設計・製造時の問題であるため、製造者側で対策等を採ることができる問題である。
【０００９】
しかし、構成部材同士の接続部、特に液体容器の口部にポンプ手段を螺合接続する接続部は、前記口部の上面と該上面に対面するポンプ手段の接続部の下面とを螺合によって密着させることによって液密性・気密性を確保する構成であるため、使用途中等に螺合がほんの僅かでも緩んでしまった場合には密着した接続部に間隙が生じて液密性・気密性が速やかに低下乃至は失われてしまうという問題がある。
【００１０】
この螺合の緩みを抑制するために、この接続部間にゴム製或いはシリコン樹脂製の円盤状シール部材を介在させることによって液密性・気密性をより向上させたとしても、この螺合の緩みの問題は、製造者（及び販売者）の手を離れて使用者に渡った段階で発生するため、問題を解決するための対策は困難であった。特に、使用者がお年寄り等であった場合には、この緩みの発生頻度が顕著に増加するだけでなく、螺合が緩んだことさえも気付かないまま使用を続ける等して、吸引・注出性能の低下が生じて液体容器内の液体を使い切ることができなかったり、或いは液体容器内に外気と共に雑菌等が混入してしまう等の安全上の問題まで発生する可能性があった。
【００１１】
そこで、例えば、特許文献１には液体容器の口部に螺合接続したポンプ手段の螺合が使用途中に緩まないように、緩み防止ストッパーを設けた技術が提案されている。
【先行技術文献】
【特許文献】
【００１２】
【特許文献１】特開平１１−１４７５５６号
【発明の概要】
【発明が解決しようとする課題】
【００１３】
特許文献１の技術では、螺合接続部が使用途中に緩んでしまうことは防止できるが、使用者が詰替用リフィール容器に交換した場合等に螺合が不完全であった場合には、使用開始時から吸引・注出不良が生じたり、雑菌等の混入の問題が発生してしまうという問題点を有している。
【００１４】
そこで本発明の課題は、一般的なポンプ式液体容器に用いられている汎用構成のポンプ手段を特別の改造等を施すことなくエアレス容器用のポンプ手段として転用して低コストに用いることができる吸引式液体注出ポンプ装置及びこれに用いられるシール部材を提供することにある。
【課題を解決するための手段】
【００１５】
上記課題を解決する本発明は、下記構成を有する。
【００１６】
１．液体容器と、該液体容器に装着して内部に充填された液体を吸引・注出するポンプ手段と、を有し、
前記液体容器が、該液体容器内の液体の吸引・注出時の内部負圧化により少なくとも液体収容部が収縮（縮小）していく構成の吸引式液体注出ポンプ装置において、
前記ポンプ手段は、シリンダー部、該シリンダー部に装填されるピストン部、該ピストン部を作動させるノズルヘッド部とを有し、且つ前記シリンダー部に液体容器の内部負圧化時の外気導入用の通気孔が設けられた構成であり、
前記液体容器は、前記ポンプ手段を装着するための装着部を有する構成であり、
更に、ポンプ手段を液体容器に装着する際に、ポンプ手段と装着部との間に下記構成のシール部材を介在させる構成であること、
を特徴とする吸引式液体注出ポンプ装置。
［シール部材の構成］
装着部の先端全周の上面に対面する円環状のフランジ部と、該フランジ部の円環の内縁から垂設される筒状部と、を有して成り、
前記筒状部の内周面が、前記シリンダー部の外周面に液密・気密状態に密着可能であると共に、前記シリンダー部に設けられた通気孔を閉塞可能であり、
且つ、前記筒状部の外周面が、前記装着部の内周面に液密・気密状態に密着可能な構成である。
【００１７】
２．前記シール部材が、軟質合成樹脂製、天然ゴム製、合成ゴム製、又はこれらの混合物製のいずれかであることを特徴とする上記１に記載の吸引式液体注出ポンプ装置。
【００１８】
３．前記液体容器が、軟質合成樹脂製のボトル容器であり、該液体容器内の液体の吸引・注出による内部負圧化に伴って収縮する構成であり、ボトル容器の口部が前記ポンプ手段を液密性及び気密性を保持した状態で装着可能な構成であることを特徴とする上記１又は２に記載の吸引式液体注出ポンプ装置。
【００１９】
４．前記液体容器が、可撓性を有する袋体であり、該袋体の開口部にポンプ手段を液密性及び気密性を保持した状態で装着可能な装着部が取り付けられた構成であることを特徴とする上記１又は２に記載の吸引式液体注出ポンプ装置。
【００２０】
５．前記液体容器が、合成樹脂製、ガラス製又は金属製の筒状の胴部と、該胴部の上部に取り付けられた前記ポンプ手段の装着部と、前記胴部の内周面の全周に液密性及び気密性を保持した状態で且つ摺動移動可能に嵌着される底部と、を有して成るボトル容器であり、
前記底部が、該液体容器内の液体の吸引・注出による内部負圧化に伴って液密性及び気密性を保持した状態で前記胴部内において上昇移動することにより該液体容器の液体収容部の容量を縮小する構成であることを特徴とする上記１又は２に記載の吸引式液体注出ポンプ装置。
【００２１】
６．液体容器の装着部にポンプ手段を螺合装着する構成であることを特徴とする上記１〜５のいずれかに記載の吸引式液体注出ポンプ装置。
【００２２】
７．液体容器の内部負圧化時に外気を導入するための通気孔が設けられたシリンダー部、該シリンダー部に装填されるピストン部、該ピストン部を作動させるノズルヘッド部とを有するポンプ手段によって、液体容器内の液体を吸引・注出するに従って、前記液体容器内の負圧化に伴って少なくとも液体収容部が収縮（縮小）していく、液体の吸引注出を行う構成の吸引式液体注出ポンプ装置の、ポンプ手段が装着される液体容器の装着部とポンプ手段との間に介在して用いられるシール部材であって、
該シール部材が、
装着部の先端全周の上面に対面する円環状のフランジ部と、該フランジ部の円環の内縁から垂設される筒状部と、を有して成り、
前記筒状部の内周面が、前記シリンダー部の外周面に液密・気密状態に密着可能であると共に、前記シリンダー部の通気孔を閉塞可能であり、
且つ、前記筒状部の外周面が、前記装着部の内周面に液密・気密状態に密着可能な構成であること、
を特徴とする吸引式液体注出ポンプ装置に用いられるシール部材。
【００２３】
８．前記シール部材が、軟質合成樹脂製、天然ゴム製、合成ゴム製、又はこれらの混合物製のいずれかであることを特徴とする上記７に記載の吸引式液体注出ポンプ装置に用いられるシール部材。
【００２４】
９．液体容器と、該液体容器に装着して内部に充填された液体を吸引・注出するポンプ手段と、を有し、
前記液体容器が、該液体容器内の液体の吸引・注出時の内部負圧化により少なくとも液体収容部が収縮（縮小）していく構成の吸引式液体注出ポンプ装置において、
前記ポンプ手段は、シリンダー部、該シリンダー部に装填されるピストン部、該ピストン部を作動させるノズルヘッド部とを有し、且つ前記シリンダー部に液体容器の内部負圧化時の外気導入用の通気孔が設けられた構成であり、
前記液体容器は、前記ポンプ手段を装着するための装着部を有する構成であり、
更に、ポンプ手段を液体容器に装着する際に、ポンプ手段と装着部との間に下記構成のシール部材を介在させる構成であること、
を特徴とする吸引式液体注出ポンプ装置。
［シール部材の構成］
前記液体容器の装着部に液密・気密状態に外周面が密着可能に装着されることにより少なくとも一部が前記液体容器の内部に入り込む外側筒状体部と、
前記シリンダー部の下端の液体注出口の外周面に内周面が液密・気密状態に密着可能に嵌挿装着される内側筒状体部と、を有して成り、
前記内側筒状体部が、前記外側筒状体部の内部において該外側筒状体部に液密・気密状態に接続されることにより、内側筒状体部及び外側筒状体部とを介して前記シリンダー部の液体注出口と液体容器の内部とを連通させる構成であると共に、
前記シリンダー部の通気孔が設けられた位置より上流側で前記液体容器内の内部負圧化時の外気導入を遮断する構成である。
【００２５】
１０．前記外側筒状体部と内側筒状体部とが一体構成であることを特徴とする上記９に記載の吸引式液体注出ポンプ装置。
【００２６】
１１．前記外側筒状体部と内側筒状体部とが別体構成であることを特徴とする上記９に記載の吸引式液体注出ポンプ装置。
【００２７】
１２．前記液体容器が軟質合成樹脂製の袋体であり、前記外側筒状体部の上流側先端が前記袋体に液密・気密状態に突き刺し可能な構成であることを特徴とする上記９〜１１のいずれかに記載の吸引式液体注出ポンプ装置。
【００２８】
１３．前記液体容器が、軟質合成樹脂製のボトル容器であり、該液体容器内の液体の吸引・注出による内部負圧化に伴って収縮する構成であり、ボトル容器の口部が前記ポンプ手段を液密性及び気密性を保持した状態で装着可能な構成であることを特徴とする上記９〜１１のいずれかに記載の吸引式液体注出ポンプ装置。
【００２９】
１４．前記液体容器が、可撓性を有する袋体であり、該袋体の開口部にポンプ手段を液密性及び気密性を保持した状態で装着可能な装着部が取り付けられた構成であることを特徴とする上記９〜１１のいずれかに記載の吸引式液体注出ポンプ装置。
【００３０】
１５．前記液体容器が、合成樹脂製、ガラス製又は金属製の筒状の胴部と、該胴部の上部に取り付けられた前記ポンプ手段の装着部と、前記胴部の内周面の全周に液密性及び気密性を保持した状態で且つ摺動移動可能に嵌着される底部と、を有して成るボトル容器であり、
前記底部が、該液体容器内の液体の吸引・注出による内部負圧化に伴って液密性及び気密性を保持した状態で前記胴部内において上昇移動することにより該液体容器の液体収容部の容量を縮小する構成であることを特徴とする上記９〜１１のいずれかに記載の吸引式液体注出ポンプ装置。
【００３１】
１６．液体容器の内部負圧化時に外気を導入するための通気孔が設けられたシリンダー部、該シリンダー部に装填されるピストン部、該ピストン部を作動させるノズルヘッド部とを有するポンプ手段によって、液体容器内の液体を吸引・注出するに従って、前記液体容器内の負圧化に伴って少なくとも液体収容部が収縮（縮小）していく、液体の吸引注出を行う構成の吸引式液体注出ポンプ装置の、ポンプ手段が装着される液体容器の装着部とポンプ手段との間に介在して用いられるシール部材であって、
該シール部材が、
前記液体容器の装着部に液密・気密状態に外周面が密着可能に装着されることにより少なくとも一部が前記液体容器の内部に入り込む外側筒状体部と、
前記シリンダー部の下端の液体注出口の外周面に内周面が液密・気密状態に密着可能に嵌挿装着される内側筒状体部と、を有して成り、
前記内側筒状体部が、前記外側筒状体部の内部において該外側筒状体部に液密・気密状態に接続されることにより、内側筒状体部及び外側筒状体部とを介して前記シリンダー部の液体注出口と液体容器の内部とを連通させる構成であると共に、
前記シリンダー部の通気孔が設けられた位置より上流側で前記液体容器内の内部負圧化時の外気導入を遮断する構成であること、
を特徴とする吸引式液体注出ポンプ装置に用いられるシール部材。
【発明の効果】
【００３２】
請求項１又は請求項７に示す発明によれば、一般的なポンプ式液体容器に用いられている汎用構成のポンプ手段を特別の改造等を施すことなくエアレス容器用のポンプ手段として転用して低コストに用いることができる吸引式液体注出ポンプ装置、又はこれに用いられるシール部材を提供することができる。
【００３３】
特に、シリンダー部の通気孔を閉塞可能なシール部材を用いる構成によって、通気孔が設けられている汎用のポンプ手段を改造を施すことなく用いてエアレス容器用のポンプ手段とすることができることから、新たな金型や金型の改造が不要となるので低コストである。
【００３４】
更に、請求項１又は請求項７に示す発明によれば、ポンプ手段と液体容器との液密性及び気密性の保持が容易である吸引式液体注出ポンプ装置、又はこれに用いられるシール部材を提供することができる。
【００３５】
特に、シール部材の筒状部が、シリンダー部の外周面と液体容器の装着部の内周面の各々に密着する構成によって、ポンプ手段と液体容器との接続部における液密性・気密性を保持することができ、しかも、この密着による液密性・気密性の保持は筒状部の長さ分に亘って作用するので、螺合が緩み難くなるだけでなく、この密着した筒状部の長さ分が液体容器の装着部から脱落しない限りは接続部の螺合が緩んでしまった場合であっても液密性・気密性を保持することができる。
【００３６】
更に、使用者が詰替用リフィール容器に交換した場合等に、螺合が完全に行われていない場合であっても、シール部材の筒状部の長さ範囲分にポンプ手段と液体容器との接続部がかかってさえいれば液密性・気密性を保持することができる。
【００３７】
請求項２又は請求項８に示す発明によれば、液密性・気密性をより向上させることができる。
【００３８】
請求項３、請求項４又は請求項５に示す発明によれば、様々な形態のエアレス容器用の液体容器に対応することができる。
【００３９】
請求項６に示す発明によれば、液体容器とポンプ手段とをより確実に接続することができる。
【００４０】
請求項９又は請求項１６に示す発明によれば、一般的なポンプ式液体容器に用いられている汎用構成のポンプ手段を特別の改造等を施すことなくエアレス容器用のポンプ手段として転用して低コストに用いることができる吸引式液体注出ポンプ装置、又はこれに用いられるシール部材を提供することができる。
【００４１】
特に、外側筒状体部と内側筒状体部とから成るシール部材によって、シリンダー部の通気孔が設けられた位置より上流側で内部負圧化時の外気導入を遮断することができることから、通気孔が設けられている汎用のポンプ手段を改造を施すことなく用いてエアレス容器用のポンプ手段とすることができ、新たな金型や金型の改造が不要となるので低コストである。
【００４２】
請求項１２、請求項１３、請求項１４又は請求項１５に示す発明によれば、様々な形態のエアレス容器用の液体容器に対応することができる。
【図面の簡単な説明】
【００４３】
【図１】本発明に係るシール部材の第１実施例の使用例の一例を示す概略説明図（一部切欠図）
【図２】図１のシール部材の４面図（正面図、平面図、底面図、Ａ−Ａ断面図）
【図３】図１のシール部材の使用例の他の例を示す概略説明図（部分断面図）
【図４】ポンプ手段と装着部との間にシール部材を介在させた状態を示す概略要部断面図
【図５】本発明に係る吸引式液体注出ポンプ装置の一実施例の構成を示す概略説明図
【図６】本発明に係る吸引式液体注出ポンプ装置の他の実施例の構成を示す概略説明図
【図７】本発明に係る吸引式液体注出ポンプ装置の他の実施例の構成を示す概略説明図
【図８】本発明に係るシール部材の他の実施例を示す３面図（正面図、平面図、Ａ−Ａ断面図）
【図９】本発明に係るシール部材の第２実施例（その１）の使用例の一例を示す概略説明図（一部切欠図、一部断面図）
【図１０】本発明に係るシール部材の第２実施例（その２）の使用例の一例を示す概略説明図（一部断面図）
【発明を実施するための形態】
【００４４】
以下、本発明に係る吸引式液体注出ポンプ装置（以下、単にポンプ装置ということもある。）、及びこれに用いられるシール部材（以下、単にシール部材ということもある。）について図面に基づき詳細に説明する。
【００４５】
本発明のポンプ装置は、シャンプー、コンディショナー、トリートメント、その他の頭髪用品をはじめ、化粧液、歯磨き、ソース、マヨネーズ、食用油、機械油、その他の各種液体（ゲル状或いはゼリー状等の高粘度液体を含む）を、可撓性を有する液体充填袋や軟質合成樹脂製の液体充填ボトル、或いは底部板が容量に応じて移動する円筒状の液体充填ボトル等の液体容器に充填し、ポンプ手段により液密及び気密状態で吸引・注出し、この吸引・注出による液体容器内部の負圧化に伴って該液体容器が潰れたり（収縮）或いは底板が上昇移動する（縮小）等して減少する液体量に応じて液体収容部の容量が減じていくエアレス容器構成を有するものである。かかる構成によって、液体容器の内部への外気流入を防止し、残存する液体の酸化や変質、或いは雑菌等の混入を抑制することができるため、特に無添加化粧料等の容器として好適である。
【００４６】
以下、図１〜図８に示す第１実施例について説明する。
【００４７】
本発明のポンプ装置１の具体的構成例としては、図１〜図５に示すように、
液体容器２と、該液体容器２に装着して内部に充填された液体を吸引・注出するポンプ手段３と、を有し、
前記液体容器２が、該液体容器２内の液体の吸引・注出時の内部負圧化により少なくとも液体収容部が収縮（縮小）していく構成のポンプ装置１において、
前記ポンプ手段３は、シリンダー部３１、該シリンダー部３１に装填されるピストン部３２、該ピストン部３２を作動させるノズルヘッド部３３とを有し、且つ前記シリンダー部３１に液体容器２の内部負圧化時の外気導入用の通気孔３４が設けられた構成であり、
前記液体容器２は、前記ポンプ手段３を装着するための装着部２１を有する構成であり、
更に、ポンプ手段３を液体容器２に装着する際に、ポンプ手段３と装着部２１との間に下記構成のシール部材４を介在させる構成であること、
を特徴とするものである。
【００４８】
本発明のシール部材４は、液体容器２の内部負圧化時に外気を導入するための通気孔３４が設けられた汎用タイプのポンプ手段３をエアレス容器構成のポンプ手段として用いることができるものであり、その具体的構成例としては、
装着部２１の先端全周の上面に対面する円環状のフランジ部４１と、該フランジ部４１の円環の内縁から垂設される筒状部４２と、を有して成り（特に図２を参照）、
前記筒状部４１の内周面が、前記シリンダー部３１の外周面に液密・気密状態に密着可能であると共に、前記シリンダー部３１に設けられた通気孔３４を閉塞可能であり（特に図４を参照）、
且つ、前記筒状部４２の外周面が、前記装着部２１の内周面に液密・気密状態に密着可能な構成であること（特に図４を参照）、
を特徴とするものである。
【００４９】
以下、各構成部材について更に詳説する。
【００５０】
液体容器２は、可撓性を有する液体充填袋や軟質合成樹脂製の液体充填ボトル、或いは底部板が容量に応じて移動する円筒状の液体充填ボトル等、この主のエアレス容器構成の液体容器として公知公用のものを特別の制限無く用いることができ、好ましい例としては図５〜図７に示す構成のものを挙げることができる。
【００５１】
図５、図６に示す液体容器２は、軟質合成樹脂製のボトル容器であり、該液体容器２内の液体の吸引・注出による内部負圧化に伴って収縮する構成であり、ボトル容器の口部が前記ポンプ手段３を液密性及び気密性を保持した状態で装着可能な装着部２１が設けられた構成となっている。
【００５２】
尚、図６に示す態様の液体容器２では、液体の吸引・注出に伴って収縮していった場合であっても自立できるように、ボトル容器の外皮体となるケース部５に収容する構成を採っている。該ケース部５は、液体容器２を収容する収容本体部５１と該収容本体部５１の蓋となる固定蓋部５２とから構成されている。固定蓋部５２には、液体容器２の装着部２が挿通される透孔が形成されている。
【００５３】
図７に示す液体容器２は、可撓性を有する単層乃至は積層の合成樹脂製のシート又はフィルムの周囲をシール溶着した構成の袋体であり、該袋体の開口部に前記ポンプ手段３を液密性及び気密性を保持した状態で装着可能な装着部２１が取り付けられた構成となっている。尚、該袋体としては、アルミニウム等の金属を蒸着したり或いはシート状又はフィルム状としたアルミニウム等の金属を積層する構成を採ることもできる。
【００５４】
更に、本発明に用いられる液体容器２としては、上記した実施例以外にも、例えば、合成樹脂製、ガラス製又は金属製の筒状の胴部と、該胴部の上部に取り付けられた前記ポンプ手段の装着部と、前記胴部の内周面の全周に液密性及び気密性を保持した状態で且つ摺動移動可能に嵌着される底部と、を有して成るボトル容器であり、
前記底部が、該液体容器内の液体の吸引・注出による内部負圧化に伴って液密性及び気密性を保持した状態で前記胴部内において上昇移動することにより該液体容器の液体収容部の容量を縮小する構成のものも挙げることができる。
【００５５】
以上の構成を有する液体容器２に設けられた装着部２１に下記に詳説するポンプ手段３を液密性・気密性を保持した状態で接続する。この装着部２１へのポンプ手段３の接続は、螺合構成であることが、液密性・気密性の保持の点だけでなく、接続装着の容易性、接続構成の簡易性、リフィール容器との交換の容易性等の点から最も好ましい。
【００５６】
ポンプ手段３は、前記したように本発明ではエアレス容器構成に用いるポンプ手段を、エアレス容器構成ではない汎用構成のポンプ手段、即ち、液体の吸引・注出に伴って液体容器２内が負圧化してしまうことを防止するために外気を液体容器２内に導入するためにシリンダー部３１に通気孔３４が設けられた構成のポンプ手段２を用いることができるものであり、該ポンプ手段３としては、液体容器２に充填された液体を吸引・注出するポンプ手段であってエアレス容器構成に用いるポンプ手段ではない汎用のポンプ手段であれば公知公用のポンプ手段を特別の制限なく用いることができる。
【００５７】
ポンプ手段２による液体の吸引・注出は、ノズルヘッド部３３を押込操作することによりシリンダー部３１内においてピストン部３２が動作して液体の吸引・注出が行われてノズルヘッド部３３から吐出することができる。尚、ポンプ手段３のポンプ構成については、この種の液体取出装置に用いられる一般的なポンプ構成であるため、本明細書ではポンプ手段３のポンプ機構についての説明は省略する。尚また、ノズルヘッド部３３は本実施例の押込操作式のものに限らず、トリガー操作式やその他の公知公用の構成を特別の制限なく採ることができる。
【００５８】
シール部材４は、この種の液体取出装置等において液密性・気密性を確保する接続部分等に介在するように配設されるパッキン等の如きシール部材として公知公用の素材である軟質合成樹脂製、天然ゴム製、合成ゴム製、又はこれらの混合物製のいずれかで形成されることが好ましい。
【００５９】
液体容器２の装着部２１とポンプ手段３との間にシール部材４を介在するように配設するには、図１に示すようにポンプ手段３のシリンダー部３１に該シール部材４を下方から挿通取付した後、このシール部材４が取り付けられたポンプ手段３を液体容器２の装着部２１に接続（螺合接続）してもよいし、図３に示すように液体容器２の装着部２１に嵌着取付した後、このシール部材４が取り付けられた液体容器２の装着部２１にポンプ手段３を接続（螺合接続）してもよい。
【００６０】
図１に示すように、ポンプ手段３のシリンダー部３１に挿通取付したシール部材４は、筒状部４２の内周面がシリンダー部３１の外周面に液密・気密状態に密着すると共に、シリンダー部３１に設けられている通気孔３４を閉塞した状態となる。
【００６１】
また、図３に示すように、液体容器２の装着部２１に嵌着取付したシール部材４は、筒状部４２の外周面が装着部２１の内周面に液密・気密状態に密着した状態となる。
【００６２】
更に、図１及び図３のいずれの構成においても、液体容器２の装着部２１にポンプ手段３を接続した後は、図４に示すように、シール部材４の筒状部４２により装着部２１の内周面とシリンダー部３１の外周面とが液密・気密状態に保持されることになる。更にまた、シール部材４のフランジ部４１の上面がポンプ手段３のシリンダー部３１の上方部材の下面に密着すると共に、フランジ部４１の下面が装着部２１の先端全周の上面に密着することにより、この部分においても液密・気密状態を保持することができる。
【００６３】
そしてこのシール部材４による液密・気密状態の保持は、該シール部材４の筒状部４２の長さ分に亘って作用することになるので、接続が緩み難くなるだけでなく、この密着した筒状部４２の長さ分が液体容器２の装着部２１から脱落しない限りは接続部の螺合が緩んでしまった場合であっても液密性・気密性を保持することができる。
【００６４】
以上、本発明に係る吸引式液体注出ポンプ装置及びこれに用いられるシール部材について実施例に基づき説明したが、本発明は上記実施例に限定されず、本発明の範囲内において他の態様を採ることもできる。
【００６５】
例えば、シール部材４は、液体容器２の装着部２１に取り付けられる際に、筒状部４２の先端部分が前記装着部２１の内側への嵌挿が容易となるように、筒状部４２の形状を図８に示すように段部を有する先細状の形状を有する構成とすることもできる。
【００６６】
また、本発明に用いられる通気孔が設けられている汎用のポンプ手段に代えて、通気孔が設けられていないエアレス容器構成のポンプ手段を用いた場合であっても上記した本発明のシール部材の効果である、シール部材の筒状部の長さ分に亘って液密性・気密性の保持が作用することになるので、接続が緩み難くなるだけでなく、この密着した筒状部の長さ分が液体容器の装着部から脱落しない限りは接続部の螺合が緩んでしまった場合であっても液密性・気密性を保持することができるという効果を発揮する。
【００６７】
次に、図９に示す第２実施例（その１）及び図１０に示す第２実施例（その２）について説明する。尚、第２実施例（その１）及び第２実施例（その２）において、上記した第１実施例と同様の符号を付した構成部材については基本的構成は同じため説明を省略する。
【００６８】
先ず、図９に示す第２実施例（その１）のシール部材１４０について説明する。
【００６９】
シール部材１４０は、図９の（Ｃ）に示すように、液体容器２の装着部２１に液密・気密状態に外周面が密着可能に装着されることにより少なくとも一部が前記液体容器２の内部に入り込む外側筒状体部１４１と、
図９の（Ｂ−２）に示すように、前記シリンダー部３１の下端の液体注出口３５の外周面に内周面が液密・気密状態に密着可能に嵌挿装着される内側筒状体部１４２と、を有して成り、
図９の（Ｂ−２）に示すように、前記内側筒状体部１４２が、前記外側筒状体部１４１の内部において該外側筒状体部１４１に液密・気密状態に接続されることにより、図９の（Ｃ）に示すように、内側筒状体部１４２及び外側筒状体部１４１とを介して前記シリンダー部３１の液体注出口３５と液体容器２の内部とを連通させる構成であると共に、
前記シリンダー部３１の通気孔３４が設けられた位置より上流側（本実施例では下方側）で前記液体容器２内の内部負圧化時の外気導入を遮断する構成となっている。
【００７０】
本実施例では、液体容器２として、軟質合成樹脂製の袋体から構成され、シール部材１４０の外側筒状体部１４１の上流側先端の突き刺し部１４１Ａが前記袋体に液密・気密状態に突き刺すことにより、該袋体の内部の液体を吸引・注出する構成となっている。
【００７１】
尚、本実施例ではポンプ手段を３を装着する装着部２１は、ポンプ手段３に接続されたシール部材１４０の突き刺し部１４１Ａが突き刺される部分となる。
【００７２】
尚また、軟質合成樹脂製の袋体から成る液体容器２は、図９の（Ｃ）に示すように外装ケース体６に収容され、ポンプ手段３は該外装ケース体６に螺合取付されることで固定される。ポンプ手段３が外装ケース体６に螺合取付される際、シール部材１４０の上端部であるフランジ部１４１Ｂが外装ケース体６の上端面とポンプ手段３との間で挟着固定されることになる。
【００７３】
本第２実施例（その１）のシール部材１４０では、外側筒状体部１４１と内側筒状体部１４２とが一体構成の単一部材となっている。
【００７４】
次に、図１０に示す第２実施例（その２）のシール部材１４０について説明する。
【００７５】
シール部材１４０は、図１０の（Ｄ）に示すように、液体容器２の装着部２１に液密・気密状態に外周面が密着可能に装着されることにより少なくとも一部が前記液体容器２の内部に入り込む外側筒状体部１４１と、
図１０の（Ｃ−２）に示すように、前記シリンダー部３１の下端の液体注出口３５の外周面に内周面が液密・気密状態に密着可能に嵌挿装着される内側筒状体部１４２と、を有して成り、
図１０の（Ｃ−２）に示すように、前記内側筒状体部１４２が、前記外側筒状体部１４１の内部において該外側筒状体部１４１に液密・気密状態に接続されることにより、内側筒状体部１４２及び外側筒状体部１４１とを介して前記シリンダー部３１の液体注出口３５と液体容器２の内部とを連通させる構成であると共に、
前記シリンダー部３１の通気孔３４が設けられた位置より上流側（本実施例では下方側）で前記液体容器２内の内部負圧化時の外気導入を遮断する構成となっている。
【００７６】
本実施例では、液体容器２として、軟質合成樹脂製のボトル容器から構成され、該液体容器２内の液体の吸引・注出による内部負圧化に伴って収縮する構成であり、ボトル容器の口部が前記ポンプ手段３を液密性及び気密性を保持した状態で装着可能な構成となっている。
【００７７】
尚、軟質合成樹脂製のボトル体から成る液体容器２の口部である装着部２１に、ポンプ手段３が螺合取付される際、シール部材１４０の上端部であるフランジ部１４１Ｂが液体容器２の口部の上端面とポンプ手段３との間で挟着固定されることになる。
【００７８】
本第２実施例（その２）のシール部材１４０では、外側筒状体部１４１と内側筒状体部１４２とは別構成の２部材構成となっている。
【００７９】
以上、説明した第２実施例（その１）及び（その２）についても、液体容器２は図９及び図１０に示す構成のものに限らず、前記第１実施例と同様に、他の構成を採ることができる。例えば、液体容器２が、可撓性を有する袋体であり、該袋体の開口部にポンプ手段３を液密性及び気密性を保持した状態で装着可能な装着部２１が取り付けられた構成や、液体容器２が、合成樹脂製、ガラス製又は金属製の筒状の胴部と、該胴部の上部に取り付けられた前記ポンプ手段３の装着部２１と、前記胴部の内周面の全周に液密性及び気密性を保持した状態で且つ摺動移動可能に嵌着される底部と、を有して成るボトル容器であり、前記底部が、該液体容器２内の液体の吸引・注出による内部負圧化に伴って液密性及び気密性を保持した状態で前記胴部内において上昇移動することにより該液体容器２の液体収容部の容量を縮小する構成、等を挙げることができる。
【００８０】
尚、本発明における液体収容部は、液体容器の中に存在すればよく、液体容器そのものの内壁で囲まれる部分であったり、液体容器の中に収納される別体としての液体収容部であったりしてもよいことは勿論である。
【符号の説明】
【００８１】
１  吸引式液体注出ポンプ装置
２  液体容器
２１  装着部
３  ポンプ手段
３１  シリンダー部
３２  ピストン部
３３  ノズルヘッド部
３４  通気孔
３５  液体注出口
４  シール部材
４１  フランジ部
４２  筒状部
５  ケース体
５１  収容本体部
５２  固定蓋部
６  外装ケース体
１４０  シール部材
１４１  外側筒状体部
１４１Ａ  突き刺し部
１４１Ｂ  フランジ部
１４２  内側筒状体部
【図１】
2014105003.tif 000003
【図２】
2014105003.tif 000004
【図３】
2014105003.tif 000005
【図４】
2014105003.tif 000006
【図５】
2014105003.tif 000007
【図６】
2014105003.tif 000008
【図７】
2014105003.tif 000009
【図８】
2014105003.tif 000010
【図９】
2014105003.tif 000011
【図１０】
2014105003.tif 000012